(57)【特許請求の範囲】
【請求項１】
所定幅を有する支持部材を平面的に組み合わせて矩形状に配置し、該矩形状に配置した支持部材の内側中央部に縦横に他の支持部材を固着するとともに、矩形状に配置した支持部材の対角線に沿って放射状に他の支持部材を固着して交差部を溶着することにより鋼製フレームを形成し、前記縦横に固着した支持部材及び放射状に固着した支持部材の両端に、矩形状に配置した支持部材の外側に突出する延長部を形成し、この延長部の端面に孔部が穿設された起立片を突設し、鋼製フレーム上の交差部を含む適宜位置に多数個の自然石を支持固定して自然石固着ユニットを作製し、この自然石固着ユニットを多自然型護岸工法に用いるマットとして使用したことを特徴とする自然石固着ユニット。
【請求項２】
所定幅を有する支持部材を平面的に組み合わせて矩形状に配置し、該矩形状に配置した支持部材の内側中央部に縦横に他の支持部材を固着するとともに、矩形状に配置した支持部材の対角線に沿って放射状に他の支持部材を固着して交差部を溶着することにより鋼製フレームを形成し、前記縦横に固着した支持部材及び放射状に固着した支持部材の両端に、矩形状に配置した支持部材の外側に突出する延長部を形成し、この延長部の端面に孔部が穿設された起立片を突設し、鋼製フレーム上の交差部を含む適宜位置に多数個の自然石を支持固定して自然石固着ユニットを作製し、ブーム先端から垂下したワイヤにより、前記鋼製フレームの延長部端面に突設した起立片に穿設された孔部を利用して自然石固着ユニットを吊り下げて施工すべき法面上に相互に密着させて据え付け、隣接する起立片を連結金具を用いて連結固定したことを特徴とする自然石固着ユニットを使用した多自然型工法。
【請求項３】
各自然石の中間に形成されている空隙部に小粒の自然石を詰め込み、客土を充填して工事を完了するようにした請求項２に記載の自然石固着ユニットを使用した多自然型工法。
【発明の詳細な説明】
【０００１】
【発明の属する技術分野】
本発明は自然石を固着したユニットを用いて護岸・護床・根固工事を多自然に行うようにした自然石固着ユニット及び該ユニットを使用した多自然型工法に関するものである。
【０００２】
【従来の技術】
従来の護岸・護床・根固工事を行う代表的な方法は、石工の手作業により自然石を１個ずつ積み上げて、各石と石との間に詰め石を行う空石積工法が知られている。しかしこの方法では施工時間が長くかかる外、護岸が２メートルを越える高さであるケースでは自然石が不安定になるという問題がある。
【０００３】
上記に対処して、護岸・護床・根固工事を行う際に、コンクリート製の堤防で両岸を囲ったり、河川敷までコンクリートで固める工法も行われている。また、自然の景観機能を生かすため、前記空石積工法に代えて地盤上に捨てコンクリートを行って自然石を固定敷設するねり石積工法も行われている。
【０００４】
更に自然石と植生を組み合わせた護岸工法として、斜面にネット状の植生マットを敷き、その上に金網を張って固定してから該金網上にアンカーを挿入固着した自然石を多数個載置し、固着したアンカーをステンレス線材などにより金網に連結した構成とか、複数個のブロックをネットに一体化した敷設ブロックを用いる工法及び複数の目を有する板状の保持体上に複数の自然石が一体的に保持されて周縁部に枠体が備えられている自然石保持ユニットを護岸法面上に隣接して敷設する工法も行われている。
【０００５】
特許第３０４８５１８号には、複数の自然石保持ユニットが断面略Ｌ字状のアングル材を用いた枠体を介して隣接状態をもって複数敷設され、アングル材の一方側折曲部上に板状の保持体の周縁部が支持されている一方、該アングル材の他方側折曲部が保持体の周縁部から自然石側に起立され、隣り合う自然石保持ユニット同士の対向する枠体の他方側折曲部を介して護岸法面上で連結された自然石保持ユニット組立体と自然石保持ユニットが記載されている。
【０００６】
【発明が解決しようとする課題】
前記したように、コンクリート製の堤防で両岸を囲って河川敷までコンクリートで固める工法とか、地盤上に捨てコンクリートを行って自然石を固定敷設するねり石積工法による護岸・護床・根固工事は、何れも施工が特殊で職人が時間をかけて敷設しており、作業能率及びコスト面での問題がある。また、上記工法は河川の自然生態系を破壊して自己浄化作用を乏しくする難点があり、環境保全の面からも好ましくないという問題がある。
【０００７】
更に斜面にネット状の植生マットを敷いてから金網を張り、該金網上にアンカーを挿入固着した自然石を多数個載置して該アンカーを金網に連結した工法及び複数個のブロックをネットに一体化した敷設ブロックを用いる工法では、吊り下げ施工時にマット及び金網が捻れたりゆがみが発生するため、ユニット自体の保形性が悪く、施工後に修復する工事が必要になるため施工に要する期間が長くかかるとともに金網などの耐久性が短いという難点がある。
【０００８】
また、断面略Ｌ字状のアングル材を用いた特許第３０４８５１８号によれば、断面略Ｌ字状のアングル材の存在によって地盤への追随性に限界があり、フレキシビリティに欠けている。更に断面略Ｌ字状のアングル材を介して相互に連結するため、隣接する自然石保持ユニット同士が密着している必要があり、そのための施工、連結作業が煩瑣となる欠点がある。更に、自然石は複数の目を形成する網目又はメッシュの上にランダムに配置されるものであるため、即ち、自然石を接着する位置が特定されていないため、配置された自然石が雑然としており、全体としてのまとまりと美観に欠けている。
【０００９】
そこで本発明は上記の問題点を解決して、護岸・護床・根固工事の施工性を向上させるとともに施工後の耐久性が高く、工事を多自然型に行うことによって環境保全及び景観面からも好ましい自然石固着ユニット及び該ユニットを使用した多自然型工法を提供することを目的とするものである。
【００１０】
【課題を解決するための手段】
本発明は上記目的を達成するために、所定幅を有する支持部材を平面的に組み合わせて矩形状に配置し、該矩形状に配置した支持部材の内側中央部に縦横に他の支持部材を固着するとともに、矩形状に配置した支持部材の対角線に沿って放射状に他の支持部材を固着して交差部を溶着することにより鋼製フレームを形成し、前記縦横に固着した支持部材及び放射状に固着した支持部材の両端に、矩形状に配置した支持部材の外側に突出する延長部を形成し、この延長部の端面に孔部が穿設された起立片を突設し、鋼製フレーム上の交差部を含む適宜位置に多数個の自然石を支持固定して自然石固着ユニットを作製し、この自然石固着ユニットを多自然型護岸工法に用いるマットとして使用した自然石固着ユニットと、該自然石固着ユニットを使用した多自然型工法を基本手段としている。
【００１３】
上記自然石固着ユニットの据え付け時には、ブーム先端から垂下したワイヤにより鋼製フレームの延長部端面に突設した起立片に穿設された孔部を利用して自然石固着ユニットを吊り下げて施工すべき法面上に相互に密着させて据え付け、隣接する起立片を連結金具を用いて固定する。また、各自然石の中間に形成されている空隙部に小粒の自然石を詰め込み、客土を充填して工事を完了するようにした多自然型工法を提供する。
【００１４】
かかる自然石固着ユニット及び該ユニットを使用した多自然型工法によれば、使用に際して護岸用としての設計勾配に応じて法面を整形してから吸出し防止剤を塗着した後に割り付けマーキングを施し、トラッククレーン等の各種クレーンのブーム先端から垂下したワイヤにより自然石固着ユニットを吊り下げて法面上に相互に密着させて据え付け、隣接する起立片を金具を用いて連結固定してから各自然石の中間に形成されている空隙部に小粒の自然石を詰め込んで自然石固着ユニットを使用した多自然型工法による護岸工事が完了する。自然石は支持部材の交差部を含む適宜位置に面として支持固定されているため、予め意図したとおりに自然石を配置することができて、施工後のまとまりと美観に優れて、景観を向上させるという作用が得られる。
【００１６】
【発明の実施の形態】
以下図面に基づいて本発明にかかる自然石固着ユニット及び該ユニットを使用した多自然型工法の具体的な実施形態を説明する。本発明は所定幅を有する支持部材を平面的に組み合わせて矩形状に配置し、該矩形状に配置した支持部材の内側中央部に縦横に他の支持部材を固着するとともに、矩形状に配置した支持部材の対角線に沿って放射状に他の支持部材を固着して交差部を溶着することにより鋼製フレームを形成し、縦横に固着した支持部材及び放射状に固着した支持部材の両端に、矩形状に配置した支持部材の外側に突出する延長部を形成し、この延長部の端面に孔部が穿設された起立片を突設し、鋼製フレーム上の交差部を含む適宜位置に多数個の自然石を支持固定して自然石固着ユニットを作製し、この自然石固着ユニットを多自然型護岸工法に用いるマットとして使用した自然石固着ユニットと、該自然石固着ユニットを使用した多自然型工法を基本手段としている。
【００１７】
図１は本発明で用いた自然石固着ユニット１の第１実施例を示す平面図、図２，図３は同要部斜視図、図４は自然石を固定する前の支持部材の平面図、図５は図１のＡ−Ａ線に沿う断面図、図６は図１のＢ−Ｂ線に沿う断面図であり、図中の２，２は平面視が矩形状に配置された４枚の支持部材、３，３は支持部材２，２の内側中央部に縦横に固着された支持部材、４，４は支持部材２，２の対角線に沿って放射状に固着された支持部材であり、各支持部材２，３，４は所定幅の板状の鋼材を用いて構成されている。この支持部材２，２と支持部材３，３及び支持部材４，４により鋼製フレームが構成される。
【００１８】
上記支持部材２，３，４の交差部を含む適宜位置にはアンカーボルト用の孔部５が穿設されていて、この孔部５を用いてホールアンカ６等により自然石７，７が固定されている。ホールアンカに代えて樹脂モルタルボンドを利用してもよい。このように支持部材２，３，４の交差部を含む適宜位置に自然石７，７を固着する場所が特定されており、各自然石７，７が各支持部材２，３，４上に面として支持固定されていることが本発明の特徴の一つである。そのため意図したとおりの外観を演出することができる。
【００１９】
支持部材２，２の内側中央部に縦横に固着された支持部材３，３の両端は矩形状の支持部材２，２の外側に突出する延長部３ａが形成されており、同様に支持部材２，２の対角線に沿って放射状に固着された支持部材４，４にも支持部材２，２の外側に突出する延長部４ａが形成されている。図２の斜視図に示したように延長部３ａの端面には孔部８が穿設された起立片９が突設されている。また、図３の斜視図に示したように延長部４ａは他の支持部材に突き合わせる面４ｂを得るため鋭角に形成されているとともに、孔部８が穿設された起立片９が突設されている。
【００２０】
各支持部材２，３，４を可撓性を有する板状に形成したことによりフレキシビリティーが向上し、設置する地面へ地盤の追随性をよくしている。図５，図６に示す自然石７の仮想線は、該自然石７，７の大きさが異なっているケースを想定している。
【００２１】
支持部材２，３，４は適度の可撓性を持つ厚さに形成されていて、設置した地盤の起伏に応じて自然石７，７の重量に伴って形状が追随可能である。更に各自然石７，７の中間には大面積の空隙部が形成されたことにより透水性が保持されている。第１実施例では自然石固着ユニット１の平面視が矩形状となっているが、平面視が正方形であってもよい。特に護岸面やカーブの部分において正方形や矩形状の自然石固着ユニット１の間に異形部分が生じるため、これをカバーするために後述する第２実施例の正六角形状または台形状その他の四角形状或いは多角形状等の異形の自然石固着ユニット１を準備しておくことが好ましい。
【００２２】
自然石固着ユニット１の寸法例としては、幅５０ｍｍ程度の板状の鋼材を用いて、縦１００〜２０００ｍｍ×横１００〜２０００ｍｍの範囲のものが適当であり、前記護岸面やカーブの部分における異形部分をカバーすることもできる。
【００２３】
各支持部材２，３，４による鋼製フレームの表面には亜鉛メッキが施されており、該亜鉛メッキの皮膜が完全に消耗する期間は５０〜６０年であって耐用年数が長く、後述するように自然石固着ユニット１が河川等の護岸・護床の湿潤及び水中設置されて水質が中性である場合は耐用年数がさらに伸びるという特徴がある。更に鋼製フレームに代えて木材を用いることもできる。なお、亜鉛メッキを施さなくてもそのまま使用することができ、或いはさび止めを施したものだけでも施工ができる。更に素材としては鉄に限ることなく、その他の各種金属或いは木質系素材，化学素材等を使用することができる。
【００２４】
以下に第１実施例にかかる自然石固着ユニット１を使用した多自然型工法の具体的な施工手順を説明する。先ず図７に示したように護岸用としての設計勾配に応じて法面１０を整形し、この法面１０上に吸出し防止剤を塗着する。この吸出し防止剤のラップ代は１０ｃｍ以上とする。次に図８に示すように法面１０上にスプレー等によって割り付けマーキング１１を施す。
【００２５】
次に図９に示したようにトラッククレーン１２のブーム１３先端から垂下したワイヤ１４により前記起立片９の孔部８を利用して自然石固着ユニット１を吊り下げて、法面１０の割り付けマーキング１１上に前記鋭角に形成され支持部材４，４の延長部４ａを他の支持部材に突き合わせながら相互に密着させて据え付ける。この作業時に図１０に示したようにワイヤ１４，１４の下端部を支持部材２，２の対角線に沿って放射状に固着された支持部材４，４の外側寄りに連結し、割り付けマーキング１１上に据え付けることもできる。
【００２６】
次に図１１に示すように、割り付けマーキング１１上に据え付けた自然石固着ユニット１の隣接する起立片９を連結金具であるシャックル１５を用いて連結固定する。図１２の要部断面図と図１３の要部平断面図に示したように、支持部材３，３（４，４）の延長部３ａ，３ａ（４ａ，４ａ）の端面に突設された起立片９の孔部８間にシャックル１５を挿通して相互に連結する。なお、起立片９を使用することなく隣接する支持部材２，２をシャックル１５その他の連結金具を用いて連結固定することもできる。これらの連結方法によれば、自然石固着ユニット１は相互に密着している必要がなく、施工及び連結作業が容易である。
【００２７】
そして図１４に示したように、各自然石７，７の中間に形成されている空隙部に小粒の自然石７ａ，７ａを詰め込み、更に客土を充填して自然石固着ユニットを使用した多自然型工法による護岸工事が完了する。自然石７，７の形状を工夫することにより、単に護岸機能だけでなく階段としての機能を持たせることができる。なお、小粒の自然石７ａ，７ａを詰め込むことを省略してもよいことはもとよりである。
【００２８】
図１５は凹凸の多い法面１０に対応する護岸工法の一例であり、図１に示す自然石固着ユニット１の各支持部材２，２、３，３、４，４に可撓性を保持させた自然石固着ユニットを構成し、この自然石固着ユニットを法面１０上に密接して敷設する。この工法によれば、自然石７，７の重量によって起伏に追随した多自然型工法による護岸工事が完了する。
【００２９】
図１６は本発明の第２実施例を示す平面図、図１７は第２実施例における自然石を固定する前の支持部材の平面図であり、前記第１実施例の支持部材２，２は平面視が矩形状に配置されているのに対して、第２実施例では６枚の支持部材２，２により平面視が正六角形状に形成されたことが特徴となっている。そして各支持部材２，２の対角線に沿って他の支持部材４，４が固着されており、支持部材２，２と支持部材４，４により鋼製フレームが構成される。
【００３０】
上記支持部材２，２と支持部材４，４の交差部を含む適宜位置にはアンカーボルト用の孔部５が穿設されていて、この孔部５を用いて前記ホールアンカ等により自然石７，７が固定されている。各支持部材２，２の対角線に沿って固着された支持部材４，４の両端は、正六角形状の支持部材２，２の外側に突出する延長部４ａが形成されており、該延長部４ａの端面には前記図３に示したように孔部８が穿設された起立片９が突設されている。
【００３１】
以下に第２実施例にかかる自然石固着ユニット１を使用した多自然型工法の具体的な施工手順を説明する。前記図７で説明したように護岸用としての設計勾配に応じて法面１０を整形し、この法面１０上に吸出し防止剤を塗着してから図８に示すように法面１０上にスプレー等によって割り付けマーキング１１を施し、次に図９に示したようにトラッククレーン１２のブーム１３先端から垂下したワイヤ１４により起立片９の孔部８を利用して自然石固着ユニット１を吊り下げて、法面１０の割り付けマーキング１１上に相互に密着させて据え付ける。この作業時に図１８に示したように複数本のワイヤ１４，１４の下端部を支持部材２，２の対角線に沿って放射状に固着された支持部材４，４の外側寄りに連結し、割り付けマーキング１１上に据え付けてもよい。
【００３２】
そして図１９に示すように、自然石固着ユニット１の隣接する起立片９を連結金具であるシャックル１５を用いて連結固定する。起立片９を使用することなく隣接する支持部材２，２をシャックル１５その他の連結金具を用いて連結固定することもできる。以下図１４で説明したように各自然石７，７の中間に形成されている空隙部に小粒の自然石７ａ，７ａを詰め込み、更に客土を充填して自然石固着ユニットを使用した多自然型工法による護岸工事が完了する。図１５による凹凸の多い法面１０に対応する護岸工法も同様に行うことができる。
【００３３】
【発明の効果】
以上詳細に説明したように、本発明によればワイヤにより自然石固着ユニットを吊り下げて法面上に据え付け、隣接する起立片を金具を用いて連結固定することによって多自然型工法による護岸工事を完了することができるので、従来のコンクリートにより堤防と河川敷を固める工法及びねり石積工法に較べて施工時間が短縮され、コストも節減することができる。また、得られた護岸・護床・根固構造は、自然石間に充填した客土が地盤と連結して水分の補給に伴って植物が繁茂し、この植物が鋼製フレームを覆い隠すので、自然の景観を創出するとともに河川の自然生態系を破壊する惧れがなく、自己浄化作用も得られて環境保全の面からも好ましい自然石固着ユニットと多自然型工法が実現する。
【００３４】
特に所定幅を有する支持部材を平面的に組み合わせてから交差部を溶着して鋼製フレームを形成したことにより、全体としてフラットな一体性のある自然石固着ユニットが得られるとともにフレキシビリティーを大きく向上させ、大荷重に耐える強度と安定性を実現することができる。また、従来の金網もしくは敷設ブロックを用いた工法のように、吊り下げ施工時に石張りマットが捻れたりゆがみが発生することがなくなるので、自然石固着ユニット自体の保形性は良好であって施工後に修復する等の工事は不要であり、しかも金網などに比較して耐久性が長いという特長がある。
【００３５】
凹凸の多い法面であっても、自然石固着ユニットを法面上に密接して敷設することにより、自然石の重量によって起伏に追随させることができる。更に自然石は支持部材の交差部を含む適宜位置に面として支持固定されるものであり、予め意図したとおりに自然石を配置することができて、施工後のまとまりと美観に優れて、景観を向上させることができる。
【００３６】
従って本発明によれば、護岸・護床・根固工事の施工性を向上させるとともに施工コストの低廉化をはかり、かつ、施工後の耐久性を高めるとともに工事を多自然に行うことによって環境保全及び景観面からも好ましい自然石固着ユニット及び該ユニットを使用した多自然型工法を提供することができる。
【図面の簡単な説明】
【図１】本発明で用いた自然石固着ユニットの第１実施例を示す平面図。
【図２】図１の要部斜視図。
【図３】図１の要部斜視図。
【図４】自然石を固定する前の支持部材の平面図。
【図５】図１のＡ−Ａ線に沿う断面図。
【図６】図１のＢ−Ｂ線に沿う断面図。
【図７】自然石固着ユニットを使用した多自然型工法の初期状態を示す概要図。
【図８】法面上に割り付けマーキングを施した状態を示す概要図。
【図９】法面上に自然石固着ユニットを据え付ける実際例を示す概要図。
【図１０】自然石固着ユニットを吊り下げた状態を示す概要図。
【図１１】自然石固着ユニットの隣接する起立片を連結金具を用いて連結固定した状態を示す概要図。
【図１２】図１１の要部断面図。
【図１３】図１１の要部平断面図。
【図１４】多自然型工法による護岸工事の完了した状態を示す概要図。
【図１５】凹凸の多い法面に対応する護岸工法の一例を示す概要図。
【図１６】本発明の第２実施例を示す平面図。
【図１７】第２実施例における自然石を固定する前の支持部材の平面図。
【図１８】第２実施例により自然石固着ユニットを吊り下げた状態を示す概要図。
【図１９】第２実施例により自然石固着ユニットの隣接する起立片を連結金具を用いて連結固定した状態を示す概要図。
【符号の説明】
１…自然石固着ユニット
２，３，４…支持部材
３ａ，４ａ…延長部
５…孔部
６…ホールアンカ
７，７ａ…自然石
８…孔部
９…起立片
１０…法面
１１…割り付けマーキング
１２…トラッククレーン
１３…ブーム
１４…ワイヤ
１５…シャックル
整理番号  Ｐ３４７２
【図１】
0003652335.tif 000002
【図２】
0003652335.tif 000003
【図３】
0003652335.tif 000004
【図４】
0003652335.tif 000005
【図５】
0003652335.tif 000006
【図６】
0003652335.tif 000007
【図７】
0003652335.tif 000008
【図８】
0003652335.tif 000009
【図９】
0003652335.tif 000010
【図１０】
0003652335.tif 000011
【図１１】
0003652335.tif 000012
【図１２】
0003652335.tif 000013
【図１３】
0003652335.tif 000014
【図１４】
0003652335.tif 000015
【図１５】
0003652335.tif 000016
【図１６】
0003652335.tif 000017
【図１７】
0003652335.tif 000018
【図１８】
0003652335.tif 000019
【図１９】
0003652335.tif 000020